(57)【要約】【課題】  複数の自局電話番号又はメールアドレス（以下、自局電話番号等）のなかから、使用者の意思によって１つの自局電話番号等を選択することが可能であるとともに、当該選択のための操作を不要とした利便性に優れる携帯電話機を提供すること。【解決手段】  １台で複数の自局電話番号等の使用が可能であり、上部筐体と下部筐体とが複数方向に回転可能な連結部を介して連結されてなる携帯電話機であって、上部筐体の下部筐体に対する展開状態を検知する展開状態検知手段と、展開状態検知手段による検知結果に基づいて、上部筐体の回転方向を判定する回転方向判定手段と、回転方向判定手段によって判定された上部筐体の回転方向に基づいて、複数の自局電話番号等のなかから、通信に使用する自局電話番号等を選択する選択手段とを備えたことを特徴とする携帯電話機。【選択図】    図５
2005204225.tif 000002
【特許請求の範囲】
【請求項１】
１台で複数の自局電話番号又はメールアドレスの使用が可能であり、
表示部を有する上部筐体と操作部を有する下部筐体とが複数方向に回転可能な連結部を介して連結されてなる携帯電話機であって、
前記上部筐体の前記下部筐体に対する展開状態を検知する展開状態検知手段と、
前記展開状態検知手段による検知結果に基づいて、使用者の操作によって前記上部筐体が前記下部筐体に対して回転する際の当該上部筐体の回転方向を判定する回転方向判定手段と、
前記回転方向判定手段によって判定された前記上部筐体の回転方向に基づいて、前記複数の自局電話番号又はメールアドレスのなかから、通信に使用する自局電話番号又はメールアドレスを選択する選択手段と
を備えたことを特徴とする携帯電話機。
【請求項２】
前記複数の自局電話番号又はメールアドレスの各々に対応した複数の相手局電話番号又は相手先メールアドレスからなる群を記憶可能な記憶領域を有するアドレス記憶手段と、
前記表示部に所定の画像を表示する表示制御手段とを備え、
前記表示制御手段は、通信に使用する自局電話番号又はメールアドレスが前記選択手段によって選択された際、当該自局電話番号又はメールアドレスに対応した複数の相手局電話番号又は相手先メールアドレスからなる群のなかから、通信先とする相手局電話番号又は相手先メールアドレスを選択可能とするための通信先選択画像を前記表示部に表示することを特徴とする請求項１に記載の携帯電話機。
【請求項３】
前記表示部に所定の画像を表示する表示制御手段を備え、
前記選択手段は、前記回転方向判定手段によって判定された前記上部筐体の回転方向が一の方向であるとき、前記複数の自局電話番号又はメールアドレスのなかから、通信に使用する一の自局電話番号又はメールアドレスを選択し、
前記表示制御手段は、前記回転方向判定手段によって判定された前記上部筐体の回転方向が他の方向であるとき、前記選択手段によって選択される自局電話番号又はメールアドレス以外の自局電話番号又はメールアドレスから、通信に使用する自局電話番号又はメールアドレスを選択可能とするための使用アドレス選択画像を前記表示部に表示することを特徴とする請求項１又は２に記載の携帯電話機。
【請求項４】
１台で複数の自局電話番号又はメールアドレスの使用が可能であり、
表示部を有する上部筐体と操作部を有する下部筐体とが複数方向に回転可能な連結部を介して連結されてなり、
前記上部筐体の前記下部筐体に対する展開状態を検知する展開状態検知手段を備えた携帯電話機に用いられる制御プログラムであって、
前記携帯端末機を、
前記展開状態検知手段による検知結果に基づいて、使用者の操作によって前記上部筐体が前記下部筐体に対して回転する際の当該上部筐体の回転方向を判定する回転方向判定手段、並びに、
前記回転方向判定手段によって判定された前記上部筐体の回転方向に基づいて、前記複数の自局電話番号又はメールアドレスのなかから、通信に使用する１つの自局電話番号又はメールアドレスを選択する選択手段
として機能させることを特徴とする制御プログラム。
【発明の詳細な説明】
【技術分野】
【０００１】
本発明は、１台で複数の自局電話番号又はメールアドレスの使用が可能な携帯電話機と、当該携帯電話機に使用される制御プログラムとに関する。
【背景技術】
【０００２】
携帯電話機は、近年、単なる電話機としての機能を有するだけではなく、メール送受信機能等の種々の機能が付加されており、統合的な携帯情報通信端末として広く普及するに至っている。メール送受信機能が付加された携帯電話機は、１台で複数の自局電話番号又はメールアドレスとして、自局電話番号とメールアドレスとをそれぞれ１つずつ使用することが可能であり、使用者は、必要に応じて、自局電話番号又はメールアドレスのいずれかを選択し、通話を行ったり、メール送信を行ったりすることができる。
【０００３】
また、１台で複数の自局電話番号又はメールアドレスの使用が可能な携帯電話機としては、例えば、１台で複数の自局電話番号の使用が可能な携帯電話機（例えば、特許文献１、２参照）、使用者の操作によって、互いに通信方式が異なるＰＤＣ（Personal Digital Cellular）又はＰＨＳ（Personal Handy phone System）のいずれかに切換可能な携帯電話機（例えば、特許文献３参照）、１台で２つの自局電話番号を使用可能であって通話料金の安い自局電話番号が発呼時に自動選択される携帯電話機（例えば、特許文献４参照）等が存在する。これらの携帯電話機によれば、複数の自局電話番号を用途別に使い分けたり、料金体系に応じて使い分けたりすることが可能になる。
【０００４】
【特許文献１】特開２００２−１１１８１０号公報
【特許文献２】特開２００２−１９９１００号公報
【特許文献３】特開２０００−３４９８７１号公報
【特許文献４】特開２００３−１８９０１３号公報
【発明の開示】
【発明が解決しようとする課題】
【０００５】
しかしながら、自局電話番号とメールアドレスとをそれぞれ１つずつ使用することが可能な従来の携帯電話機や、特許文献１〜３に記載の携帯電話機においては、発呼又は発信をするごとに、当該携帯電話機で使用可能な複数の自局電話番号又はメールアドレスのなかから、発呼又は発信に使用する１つの自局電話番号又はメールアドレスを選択するための操作を行わなければならないため、１つの自局電話番号のみを使用可能な携帯電話機と比べて余分な操作が増えることとなる。携帯電話機は、振動のある条件下（例えば、歩行中や移動中等）で使用されることが多く、また、近年の携帯電話機の小型化に伴って操作ボタン等も小さくなる傾向にあるため、このように余分な操作が増えると、利便性が損なわれてしまうという問題がある。
【０００６】
また、特許文献４に記載された携帯電話機では、複数の自局電話番号のなかから、発呼に使用する自局電話番号が自動的に選択されるため、発呼に使用する自局電話番号を使用者の意思で選択することができない。従って、複数の自局電話番号を用途ごとに使い分けたり、通話相手ごとに使い分けたりすることができないという点で使い勝手が悪く、１台の携帯電話機で複数の自局電話番号を使用可能とすることによって得られる利益を充分に享受することができないという問題がある。
【０００７】
本発明は上述した問題に鑑みてなされたものであり、その目的は、複数の自局電話番号又はメールアドレスのなかから、使用者の意思によって１つの自局電話番号又はメールアドレスを選択することが可能であるとともに、当該選択のための操作を不要とした利便性に優れる携帯電話機と、当該携帯電話機に使用される制御プログラムとを提供することにある。
【課題を解決するための手段】
【０００８】
上述した課題を解決するために、本発明は、以下のようなものを提供する。
（１）１台で複数の自局電話番号又はメールアドレスの使用が可能であり、
表示部を有する上部筐体と操作部を有する下部筐体とが複数方向に回転可能な連結部を介して連結されてなる携帯電話機であって、
上記上部筐体の上記下部筐体に対する展開状態を検知する展開状態検知手段と、
上記展開状態検知手段による検知結果に基づいて、使用者の操作によって上記上部筐体が上記下部筐体に対して回転する際の当該上部筐体の回転方向を判定する回転方向判定手段と、
上記回転方向判定手段によって判定された上記上部筐体の回転方向に基づいて、上記複数の自局電話番号又はメールアドレスのなかから、通信に使用する自局電話番号又はメールアドレスを選択する選択手段と
を備えたことを特徴とする携帯電話機。
【０００９】
（１）の発明によれば、例えば、上部筐体を右方向に回転させて携帯電話機を展開すると、業務用の自局電話番号が選択され、逆に、左方向に回転させて携帯電話機を展開すると、私的用の自局電話番号が選択されるというように、使用者が上部筐体をどの方向に回転させて携帯電話機を展開するかによって、当該携帯電話機で使用が可能な複数の自局電話番号又はメールアドレスのなかから、通信に使用する１つの自局電話番号又はメールアドレスが選択される。折り畳み式の携帯電話機では、上部筐体の回転による携帯電話機の展開操作が一般的に行われているが、（１）の発明によれば、このような展開操作を、自局電話番号又はメールアドレスを選択するための操作として利用することにより、自局電話番号又はメールアドレスを選択するための操作自体を省略することができるため、利便性を高めることができる。また、自局電話番号又はメールアドレスの選択自体は、使用者の意思によって行うことができるので、複数の自局電話番号又はメールアドレスを用途ごとに使い分けたり、通信相手ごとに使い分けたりすることが可能であり、１台で複数の自局電話番号又はメールアドレスを使用可能としたことによって得られる利益を充分に享受することができる。
【００１０】
さらに、本発明は、以下のようなものを提供する。
（２）  上記（１）の携帯電話機であって、
上記複数の自局電話番号又はメールアドレスの各々に対応した複数の相手局電話番号又は相手先メールアドレスからなる群を記憶可能な記憶領域を有するアドレス記憶手段と、
上記表示部に所定の画像を表示する表示制御手段とを備え、
上記表示制御手段は、通信に使用する自局電話番号又はメールアドレスが上記選択手段によって選択された際、当該自局電話番号又はメールアドレスに対応した複数の相手局電話番号又は相手先メールアドレスからなる群のなかから、通信先とする相手局電話番号又は相手先メールアドレスを選択可能とするための通信先選択画像を上記表示部に表示することを特徴とする。
【００１１】
（２）の携帯電話機によれば、上部筐体を回転させて携帯電話機を展開した際、通信に使用する１つの自局電話番号又はメールアドレスが選択されるとともに、当該自局電話番号又はメールアドレスに対応した相手局電話番号又は相手先メールアドレスからなる群のなかから、通信先とする相手局電話番号又は相手先メールアドレスを選択可能とするための通信先選択画像が表示部に表示されるため、使用者は、別途、通信先選択画像を表示部に表示させるための操作を行う必要がなく、さらに利便性を向上させることができる。
【００１２】
さらに、本発明は、以下のようなものを提供する。
（３）  上記（１）又は（２）の携帯電話機であって、
上記表示部に所定の画像を表示する表示制御手段を備え、
上記選択手段は、上記回転方向判定手段によって判定された上記上部筐体の回転方向が一の方向であるとき、上記複数の自局電話番号又はメールアドレスのなかから、通信に使用する一の自局電話番号又はメールアドレスを選択し、
上記表示制御手段は、上記回転方向判定手段によって判定された上記上部筐体の回転方向が他の方向であるとき、上記選択手段によって選択される自局電話番号又はメールアドレス以外の自局電話番号又はメールアドレスから、通信に使用する自局電話番号又はメールアドレスを選択可能とするための使用アドレス選択画像を上記表示部に表示することを特徴とする。
【００１３】
（３）の携帯電話機によれば、例えば、１台で３つの自局電話番号Ａ〜Ｃが使用可能である場合、上部筐体を右方向に回転させて携帯電話機を展開すると、自局電話番号Ａが、通信に使用する自局電話番号として選択され、その一方で、上部筐体を左方向に回転させて携帯電話機を展開すると、自局電話番号Ｂ、Ｃのうち、通信に使用する自局電話番号を選択可能とする使用アドレス選択画像が表示部に表示される。従って、１台で使用可能な自局電話番号又はメールアドレスの数が３つ以上であっても対応することができる。
さらに、頻繁に使用する自局電話番号又はメールアドレスを直ちに選択可能とするとともに、使用頻度が比較的少ない他の自局電話番号又はメールアドレスについては、使用アドレス選択画像によって選択可能とするというように、自局電話番号又はメールアドレスの使用頻度に応じて選択操作を異ならせることが可能であるため、１台で使用可能な自局電話番号又はメールアドレスの数を３つ以上としても、利便性が損なわれることがない。
【００１４】
（４）１台で複数の自局電話番号又はメールアドレスの使用が可能であり、
表示部を有する上部筐体と操作部を有する下部筐体とが複数方向に回転可能な連結部を介して連結されてなり、
上記上部筐体の上記下部筐体に対する展開状態を検知する展開状態検知手段を備えた携帯電話機に用いられる制御プログラムであって、
上記携帯端末機を、
上記展開状態検知手段による検知結果に基づいて、使用者の操作によって上記上部筐体が上記下部筐体に対して回転する際の当該上部筐体の回転方向を判定する回転方向判定手段、並びに、
上記回転方向判定手段によって判定された上記上部筐体の回転方向に基づいて、上記複数の自局電話番号又はメールアドレスのなかから、通信に使用する１つの自局電話番号又はメールアドレスを選択する選択手段
として機能させることを特徴とする制御プログラム。
【００１５】
（４）の発明によれば、一般的な折り畳み式の携帯電話機で行われている展開操作を、自局電話番号又はメールアドレスを選択するための操作として利用し、自局電話番号又はメールアドレスを選択するための操作自体を省略するように携帯電話機を制御するため、携帯電話機の利便性を高めることができる。また、自局電話番号又はメールアドレスの選択自体は、使用者の意思によって行うことができるように携帯電話機を制御するため、複数の自局電話番号又はメールアドレスを用途ごとに使い分けたり、通信相手ごとに使い分けたりすることが可能であり、１台で複数の自局電話番号又はメールアドレスを使用可能としたことによって得られる利益を充分に享受することができる。
【発明の効果】
【００１６】
本発明の構成によれば、複数の自局電話番号又はメールアドレスのなかから、使用者の意思によって１つの自局電話番号又はメールアドレスを選択することが可能であるとともに、当該選択のための操作を不要とした利便性に優れる携帯電話機と、当該携帯電話機に使用される制御プログラムとを提供することが可能である。
【発明を実施するための最良の形態】
【００１７】
本発明に実施形態について図面に基づいて説明する。
以下においては、１台で２つの自局電話番号の使用が可能な携帯電話機について説明することにする。なお、本発明の携帯電話機において、１台で使用可能な自局電話番号の数は、複数であれば特に限定されるものではない。
図１は、本発明の携帯電話機の一例を模式的に示す正面図である。
【００１８】
携帯電話機１は、上部筐体１１と下部筐体１２とが複数方向に回転可能な連結部１３を介して連結されている。具体的には、携帯電話機１は、上部筐体１１と下部筐体１２とが連結部１３（図示せず）を介して連結されており、上部筐体１１が下部筐体１２に対して平行な状態を保って双方向に回転し得るように構成されている。
【００１９】
なお、本発明の携帯電話機は、上部筐体と下部筐体とが複数方向に回転可能な連結部を介して連結されていればよく、必ずしも、上部筐体が下部筐体に対して平行な状態を保って双方向に回転し得るように構成されている必要はない。
【００２０】
上部筐体１１は、基地局にキャリアの入出力を行う２本のアンテナ８ａ、８ｂ（図示せず）をその内部に有するアンテナ部２と、電話に出たときに相手局（着信相手先）の音声を聞くための受話口３と、各種機能の設定や着信時に相手先の電話番号や氏名等を表示するための表示部としてのディスプレイ４と、着信音量や通話音量を調節したり、メモリダイヤルの内容をディスプレイ４上に所定の状態で表示させたり、各種機能の設定を選択するための十字方向操作キー５とを備えている。
【００２１】
下部筐体１２は、電話番号や文字等を入力する際に使用されるダイヤルキーを含む操作部としての操作キー群６と、通話中に自局の音声を伝えるための送話口７とを備えている。
【００２２】
アンテナ部２は、携帯電話機１で使用可能な２つの自局電話番号にそれぞれ対応した２本のアンテナ８ａ、８ｂ（図示せず）をその内部に有するものであり、その先端部が上部筐体１１の前端左側から前方へ突出している。
【００２３】
受話口３は、上部筐体１１の前方部に形成され、ディスプレイ４の表示面は、受話口３の下方位置において上部筐体１１から露出している。
さらに、十字方向操作キー５は、通信を行うべく携帯電話機１を把持した際に母指での操作を容易にするように、ディスプレイ４の表示面の下方位置で、かつ、携帯電話機１の幅方向中央部に配置されている。送話口７は、下部筐体１２の後方部に形成されている。操作キー群６の操作面は、送話口７の上方位置において下部筐体１２から露出している。
【００２４】
図２は、図１に示した携帯電話機の内部構成を示すブロック図である。
携帯電話機１の２つの自局電話番号に対応した２本のアンテナ８ａ、８ｂは、それぞれ基地局とのキャリアの入出力を行う。アンテナ８ａ、８ｂには、それぞれ信号処理回路１０１ａ、１０１ｂが接続されている。
なお、本発明の携帯電話機が備えるアンテナの数は、特に限定されるものではなく、必ずしも、携帯電話機１のように、使用可能な自局電話番号に対応した数のアンテナが設けられる必要はない。例えば、１本のアンテナで複数の自局電話番号についての送信キャリアの送信及び受信キャリアの受信を行うこととしてもよい。
【００２５】
信号処理回路１０１（１０１ａ、１０１ｂ）は、アンテナ８（８ａ、８ｂ）より入力された受信キャリアの復調処理を行う受信器と、送信キャリアを変調処理する送信器と、受信器及び送信器に対して送信キャリア及び受信キャリアの送受信周波数の制御を行うシンセサイザと、音声及び制御情報の復号化処理等を行うチャネルデコーダと、音声及び制御情報の符号化処理を行うチャネルエンコーダと、音声の符号／復号処理を行う音声コーデックと、スピーカ１１１及びマイクロホン１１２とのインターフェイスとして機能する送受話器とを備えている。
【００２６】
アンテナ８（８ａ、８ｂ）から入力された受信キャリアは、受信機−チャネルデコーダ−音声コーデック−送受信機によって音声に変換されて、スピーカ１１１から出力される。一方、通話中にマイクロホン１１２から入力された音声は、使用中の自局電話番号に対応した信号処理回路１０１に入力され、送受信機−音声コーデック−チャネルエンコーダ−送信器によって送信キャリアに変換されて、アンテナ８（８ａ、８ｂ）から出力される。これにより、音声通話が達成される。携帯電話機１は、上述したように、２本のアンテナ８（８ａ、８ｂ）と、２つの信号処理回路１０１（１０１ａ、１０１ｂ）とを有しており、２つの自局電話番号のいずれか１つを使用して音声通話を行うことができる。
【００２７】
信号処理回路１０１ａ、１０１ｂには、それぞれレベル検出回路１０２ａ、１０２ｂが接続されている。レベル検出回路１０２（１０２ａ、１０２ｂ）は、基地局からアンテナ８（８ａ、８ｂ）を介して信号処理回路１０１（１０１ａ、１０１ｂ）に入力された受信キャリアの電波強度を検出してそのデータを制御回路１１６に送信する。制御回路１１６は、受信キャリアの電波強度に関するデータを、２つのレベル検出回路１０２（１０２ａ、１０２ｂ）の各々から受信し、当該データに基づいて、ディスプレイ４にアンテナピクトを表示する。
【００２８】
信号処理回路１０１ａ、１０１ｂのそれぞれと接続された制御回路１１６は、ＣＰＵ（Central Processing Unit）やメモリ等を有しており、制御中枢を司るものである。具体的には、制御回路１１６は、予め記憶されているプログラムに従って、発信ボタンを含む操作部としての操作キー群６及び十字操作キー５からの入力に対する制御、表示部であるディスプレイ４への表示の制御、信号処理回路１０１ａ、１０１ｂへの制御（例えば、シンセサイザの制御や、スピーカ１１１又はマイクロホン１１２との音声の送受信を行う信号処理回路１０１ａ、１０１ｂの切り替え制御等）、着信音出力スピーカ１０３への音信号の出力制御、並びに、バイブレータ用モータ１０４の駆動制御を行う。
制御回路１１６は、表示部であるディスプレイ４に所定の画像を表示する表示制御手段として機能するものである。
【００２９】
また、制御回路１１６（図示せず）は、メモリを有している。このメモリには、例えば、各種の画像データ、着信音を出力するための種々の音データ、通話時間を累積加算して当該メモリに記憶させるプログラム、２つの自局電話番号の各々についての料金体系に基づいて通話料金を算出するプログラム等、各種のデータやプログラムが記憶される。
【００３０】
また、制御回路１１６には、メモリ等を有する電話番号記憶回路１１３が接続されている。電話番号記憶回路１１３には、アドレス帳テーブルが格納されている。このアドレス帳テーブルには、携帯電話機１で使用可能な自局電話番号ごとに、相手先の識別情報（例えば、相手先の電話番号、相手先の氏名又は名称等）が記憶される。
電話番号記憶回路１１３は、複数の自局電話番号の各々に対応した複数の相手局電話番号からなる群を記憶可能な記憶領域を有するアドレス記憶手段として機能する。
【００３１】
また、制御回路１１６には、第１状態センサ５０、第２状態センサ６０が接続されている。第１状態センサ５０及び第２状態センサ６０は、上部筐体５０の下部筐体６０に対する展開状態を検知する展開状態検知手段８０であり、上部筐体１１と下部筐体１２とを連結する連結部１３（図示せず）に設けられている。
第１状態センサ５０及び第２状態センサ６０については、後で詳述することにする。
【００３２】
制御回路１１６は、第１状態センサ５０のＯＮ／ＯＦＦと、第２状態センサ６０のＯＮ／ＯＦＦとに基づいて、使用者の操作によって上部筐体１１が下部筐体１２に対して回転する際の上部筐体１１の回転方向を判定する回転方向判定手段として機能する。
【００３３】
図３（ａ）〜（ｄ）は、図１に示した携帯電話機の展開動作を示す正面図である。
図３（ａ）は、携帯電話機１の上部筐体１１と下部筐体１２（図示せず）とが重なり合っている閉成状態を示している。
【００３４】
図３（ｂ）は、携帯電話機１の上部筐体１１が下部筐体１２に対して右方向に回転している展開中の様子を示している。図３（ｃ）は、携帯電話機１の上部筐体１１が下部筐体１２に対して左方向に回転している展開中の様子を示している。図３（ｄ）は、携帯電話機１の上部筐体１１が下部筐体１２に対して閉成状態から１８０°回転した展開状態を示している。
【００３５】
携帯電話機１を右回りに展開するときには、上部筐体１１が下部筐体１２に対して右方向に回転し、図３（ａ）に示した閉成状態から、図３（ｂ）に示した状態を経て、図３（ｄ）に示した展開状態に至る。一方、携帯電話機１を左回りに展開するときには、上部筐体１１が下部筐体１２に対して左方向に回転し、図３（ａ）に示した状態から、図３（ｃ）に示した状態を経て、図３（ｄ）に示した展開状態に至る。
【００３６】
図４（ａ）〜（ｄ）は、第１状態センサ５０及び第２状態センサ６０の動作を模式的に示す斜視図である。図４（ａ）〜（ｄ）に示す携帯電話機１の状態は、それぞれ図３（ａ）〜（ｄ）に示した携帯電話機１の状態と対応している。
【００３７】
携帯電話機１の上部筐体１１と下部筐体１２とは、円柱形状の連結部１３を介して連結されており、上部筐体１１が下部筐体１２に対して平行な状態を保って双方向に回転し得るように構成されている。
【００３８】
上部筐体１１の内部には、導通端子５０ａ、６０ａが設置されている。これらの導通素子５０ａ、６０ａは、その先端部が連結部１３と接するようになっている。また、連結部１３の外周には、２本の導体パターン５０ｂ、６０ｂが形成されている。
【００３９】
導通端子５０ａ及び導体パターン５０ｂは、第１状態センサ５０を構成するものであり、第１状態センサ５０は、導通端子５０ａが導体パターン５０ｂと接触／非接触となることで、ＯＮ／ＯＦＦを検出する。
導通端子６０ａ及び導体パターン６０ｂは、第２状態センサ６０を構成するものであり、第２状態センサ６０は、導通端子６０ａが導体パターン６０ｂと接触／非接触となることで、ＯＮ／ＯＦＦを検出する。
【００４０】
具体的には、表１に示すように、第１状態センサ５０がＯＦＦ、第２状態センサ６０がＯＦＦであるときには（図４（ａ）参照）、携帯電話機１の上部筐体１１と下部筐体１２とが重なり合っている閉成状態にある（図３（ａ）参照）。
また、第１状態センサ５０がＯＮ、第２状態センサ６０がＯＦＦであるときには（図４（ｂ）参照）、携帯電話機１の上部筐体１１が下部筐体１２に対して右方向に回転している展開中の状態にある（図３（ｂ）参照）。
【００４１】
また、第１状態センサ５０がＯＦＦ、第２状態センサ６０がＯＮであるときには（図４（ｃ）参照）、携帯電話機１の上部筐体１１が下部筐体１２に対して左方向に回転している展開中の状態にある（図３（ｃ）参照）。
さらに、第１状態センサ５０がＯＮ、第２状態センサ６０がＯＮであるときには（図４（ｄ）参照）、携帯電話機１の上部筐体１１が下部筐体１２に対して閉成状態から１８０°回転した展開状態にある（図３（ｄ）参照）。
【００４２】
【表１】
2005204225.tif 000003
【００４３】
このように、第１状態センサ５０及び第２状態センサ６０からなる展開状態検知手段８０は、上部筐体１１の下部筐体１２に対する展開状態を検知する。
携帯電話機１が閉成状態であるときには、第１状態センサ５０及び第２状態センサ６０が共にＯＦＦであり、携帯電話機１が展開状態であるときには、第１状態センサ５０及び第２状態センサ６０が共にＯＮである。
制御回路１１６は、第１状態センサ５０及び第２状態センサ６０が共にＯＦＦの状態から、共にＯＮの状態に至る過程において、第１状態センサ５０又は第２状態センサ６０のどちらが先にＯＮとなったかによって、携帯電話機１が右回りに展開されたか、左回りに展開されたかを判定する。このとき、制御回路１１６は、展開状態検知手段８０（第１状態センサ５０及び第２状態センサ６０）による検知結果に基づいて、使用者の操作によって上部筐体１１が下部筐体１２に対して回転する際の上部筐体１１の回転方向を判定する回転方向判定手段として機能する。
【００４４】
そして、制御回路１１６は、回転方向判定手段によって判定された上部筐体１１の回転方向に基づいて、複数の自局電話番号のなかから、通信に使用する自局電話番号を選択する。
このとき、制御回路１１６は、選択手段として機能する。
【００４５】
この実施形態に係る携帯電話機１は、展開状態検知手段として、図４に示すように電気的接点方式のセンサ（第１状態センサ５０、第２状態センサ６０）を備えているが、本発明の携帯電話機が備える展開状態検知手段は、勿論、この例に限定されるものではなく、例えば、マグネット式のスイッチ、磁気近接センサ等、展開状態（上部筐体と下部筐体との回転スライドによる展開状態）を検知することが可能な周知のものを適宜採用することが可能である。なお、マグネット式のスイッチは、磁石とスイッチとからなり、例えば、上部筐体の回転に伴って磁石がスイッチに対して接近又は離間する際に該磁石の磁力によってスイッチがＯＮ／ＯＦＦするように構成され、該スイッチのＯＮ／ＯＦＦによって携帯電話機の展開状態を検知するものである。このようなマグネット式のスイッチは、従来公知のものであり、特開２００１−１３６２４８号公報等に開示されているので、ここでの説明は省略する。
【００４６】
図５は、図１に示した携帯電話機１の制御回路１１６において実行される自局電話番号選択処理を行うサブルーチンを示すフローチャートである。
このサブルーチンは、予め実行されているメインルーチンから所定のタイミングで呼び出されて実行されるものである。
【００４７】
まず、制御回路１１６は、第１状態センサ５０がＯＮになったか否かを判断する（ステップＳ１）。第１状態センサ５０がＯＮになったということは、上部筐体１１が下部筐体１２に対して右方向に回転しているということである（表１参照）。
【００４８】
ステップＳ１において、第１状態センサ５０がＯＮになったと判断した場合、次に、制御回路１１６は、第２状態センサ６０がＯＮになった否かを判断する（ステップＳ２）。第１状態センサ５０がＯＮになった後に第２状態センサ６０がＯＮになったということは、上部筐体１１が下部筐体１２に対して右方向に回転して展開状態となったということである（表１参照）。
このとき、制御回路１１６は、展開状態検知手段８０（第１状態センサ５０及び第２状態センサ６０）による検知結果に基づいて、使用者の操作によって上部筐体１１が下部筐体１２に対して回転する際の上部筐体１１の回転方向を判定する回転方向判定手段として機能する。
【００４９】
ステップＳ２において、第２状態センサ６０がＯＮになったと判断した場合、制御回路１１６は、携帯電話機１で使用可能な２つの自局電話番号（自局電話番号Ａ、Ｂとする）のうち、１つの自局電話番号（自局電話番号Ａ）を、発呼に使用する自局電話番号として選択する（ステップＳ３）。
このとき、制御回路１１６は、回転方向判定手段によって判定された上部筐体１１の回転方向に基づいて、複数の自局電話番号のなかから、通信に使用する自局電話番号を選択する選択手段として機能する。
【００５０】
次に、制御回路１１６は、ディスプレイ４に、自局電話番号Ａに対応した相手局電話番号の群から通話相手先の電話番号を選択するための通信先選択画像を表示し（ステップＳ４）、本サブルーチンを終了する。
ステップＳ４の処理が実行されるとき、制御回路１１６は、表示制御手段として機能し、通信に使用する自局電話番号が選択手段によって選択された際、当該自局電話番号に対応した複数の相手局電話番号からなる群のなかから、通信先とする相手局電話番号を選択可能とするための通信先選択画像をディスプレイ（表示部）４に表示する。
このとき、使用者は、操作キー群６及び十字方向操作キー５を操作し、通信先とする相手局電話番号を選択することができる。
【００５１】
一方、ステップＳ１において、第１状態センサ５０がＯＮになっていないと判断した場合、次に、制御回路１１６は、第２状態センサ６０がＯＮになっているか否かを判断する（ステップＳ５）。第１状態検出センサ５０がＯＦＦであり、かつ、第２状態検出センサ６０がＯＮであるということは、上部筐体１１が下部筐体１２に対して左方向に回転しているということである（表１参照）。
【００５２】
ステップＳ５において、第２状態センサ６０がＯＦＦであると判断した場合、第１状態センサ５０及び第２状態センサ６０が共にＯＦＦであるから、携帯電話機１は閉成状態にある。従って、制御回路１１６は、自局電話番号の選択を行わずに本サブルーチンを終了する。
【００５３】
ステップＳ５において、第２状態センサ６０がＯＮであると判断した場合、次に、制御回路１１６は、第１状態センサ５０がＯＮであるか否かを判断する（ステップＳ６）。
第２状態センサ６０がＯＮになった後に第１状態センサ５０がＯＮになったということは、上部筐体１１が下部筐体１２に対して左方向に回転して展開状態となったということである（表１参照）。
このとき、制御回路１１６は、展開状態検知手段８０（第１状態センサ５０及び第２状態センサ６０）による検知結果に基づいて、使用者の操作によって上部筐体１１が下部筐体１２に対して回転する際の上部筐体１１の回転方向を判定する回転方向判定手段として機能する。
【００５４】
ステップＳ６において、第１状態センサ５０がＯＮではないと判断した場合、処理をステップＳ５に戻す。一方、第１状態センサ５０がＯＮであると判断した場合、制御回路１１６は、携帯電話機１で使用可能な２つの自局電話番号Ａ、Ｂのうち、１つの自局電話番号Ｂを、発呼に使用する自局電話番号として選択する（ステップＳ７）。
このとき、制御回路１１６は、回転方向判定手段によって判定された上部筐体１１の回転方向に基づいて、複数の自局電話番号のなかから、通信に使用する自局電話番号を選択する選択手段として機能する。
【００５５】
次に、制御回路１１６は、ディスプレイ４に、自局電話番号Ｂに対応した相手局電話番号の群から通話相手先の電話番号を選択するための通信先選択画像を表示し（ステップＳ８）、本サブルーチンを終了する。
ステップＳ８の処理が実行されるとき、制御回路１１６は、表示制御手段として機能し、通信に使用する自局電話番号が選択手段によって選択された際、当該自局電話番号に対応した複数の相手局電話番号からなる群のなかから、通信先とする相手局電話番号を選択可能とするための通信先選択画像をディスプレイ（表示部）４に表示する。
このとき、使用者は、操作キー群６及び十字方向操作キー５を操作し、通信先とする相手局電話番号を選択することができる。
【００５６】
以上、本発明の携帯電話機１によれば、上部筐体を右方向に回転させて携帯電話機１を展開すると、自局電話番号Ａが選択され、逆に、左方向に回転させて携帯電話機１を展開すると、自局電話番号Ｂが選択されるというように、使用者が上部筐体をどの方向に回転させて携帯電話機１を展開するかによって、携帯電話機１で使用が可能な複数の自局電話番号のなかから、通信に使用する１つの自局電話番号が選択される。このように、携帯電話機１によれば、折り畳み式の携帯電話機において一般的に行われている展開操作を、自局電話番号を選択するための操作として利用することにより、自局電話番号を選択するための操作自体を省略することができるため、利便性を高めることができる。また、自局電話番号の選択自体は、使用者の意思によって行うことができるので、複数の自局電話番号を用途ごとに使い分けたり、通信相手ごとに使い分けたりすることが可能であり、１台で複数の自局電話番号を使用可能としたことによって得られる利益を充分に享受することができる。
【００５７】
さらに、携帯電話機１によれば、上部筐体１１を回転させて携帯電話機１を展開した際、通信に使用する１つの自局電話番号が選択されるとともに、当該自局電話番号に対応した相手局電話番号からなる群のなかから、通信先とする相手局電話番号を選択するための通信先選択画像がディスプレイ（表示部）４に表示されるため、使用者は、別途、通信先選択画像をディスプレイ４に表示させるための操作を行う必要がなく、さらに利便性を向上させることができる。
【００５８】
携帯電話機１が備える制御回路１１６のメモリには、携帯電話機１を、展開状態検知手段８０（第１状態センサ５０及び第２状態センサ６０）による検知結果に基づいて、使用者の操作によって上部筐体１１が下部筐体１２に対して回転する際の上部筐体１１の回転方向を判定する回転方向判定手段、並びに、上記回転方向判定手段によって判定された上部筐体１１の回転方向に基づいて、複数の自局電話番号のなかから、通信に使用する１つの自局電話番号を選択する選択手段として機能させる本発明の制御プログラムが格納されている。
【００５９】
次に、本発明の他の一例に係る携帯電話機として、１台で３つの自局電話番号の使用が可能な携帯電話機について説明することとする。
図６は、本発明の他の一例に係る携帯電話機の内部構成を示すブロック図である。図６においては、上述した図２に示した構成要素と対応する構成要素には同一の符号を付した。
【００６０】
携帯電話機１の３つの自局電話番号に対応した３本のアンテナ８ａ〜８ｃは、それぞれ基地局とのキャリアの入出力を行う。アンテナ８ａ〜８ｂには、それぞれ信号処理回路１０１ａ〜１０１ｃが接続されている。
【００６１】
信号処理回路１０１、レベル検出回路１０２は、図２を用いて説明したものと同様のものであり、既に説明済であるから、ここでの説明は省略するが、図６に示す携帯電話機１においては、３つの自局電話番号に対応した３つの信号処理回路１０１ａ〜１０１ｃとレベル検出回路１０２ａ〜１０２ｃとが設けられている。また、他の要素については、図２に示したものと同様であるから、ここでの説明は省略する。
【００６２】
図７は、図６に示した携帯電話機１の制御回路１１６において実行される自局電話番号選択処理を行うサブルーチンを示すフローチャートである。このサブルーチンは、予め実行されているメインルーチンから所定のタイミングで呼び出されて実行されるものである。なお、図７に示したフローチャートには、図５に示したフローチャートのステップと同様の処理をするステップには同一の符号を付した。
【００６３】
まず、制御回路１１６は、第１状態センサ５０がＯＮになったか否かを判断し（ステップＳ１）、第１状態センサ５０がＯＮになったと判断した場合、次に、制御回路１１６は、第２状態センサ６０がＯＮになったか否かを判断する（ステップＳ２）。このとき、制御回路１１６は、上部筐体１１の回転方向を判定する回転方向判定手段として機能する。
【００６４】
第２状態センサ６０がＯＮになったと判断した場合、制御回路１１６は、携帯電話機１で使用可能な３つの自局電話番号（自局電話番号Ａ、Ｂ、Ｃとする）のうち、１つの自局電話番号（自局電話番号Ａ）を、発呼に使用する自局電話番号として選択する（ステップＳ３）。このとき、制御回路１１６は、通信に使用する自局電話番号を選択する選択手段として機能する。
【００６５】
次に、制御回路１１６は、ディスプレイ４に、自局電話番号Ａに対応した相手局電話番号の群から通話相手先の電話番号を選択するための通信先選択画像を表示し（ステップＳ４）、本サブルーチンを終了する。ステップＳ４の処理が実行されるとき、制御回路１１６は、表示制御手段として機能し、通信先選択画像をディスプレイ（表示部）４に表示する。
【００６６】
一方、ステップＳ１において、第１状態センサ５０がＯＮになっていないと判断した場合、次に、制御回路１１６は、第２状態センサ６０がＯＮになっているか否かを判断する（ステップＳ５）。ステップＳ５において、第２状態センサ６０がＯＦＦであると判断した場合、第１状態センサ５０及び第２状態センサ６０が共にＯＦＦであるから、携帯電話機１は閉成状態にある。従って、制御回路１１６は、自局電話番号の選択を行わずに本サブルーチンを終了する。
【００６７】
ステップＳ５において、第２状態センサ６０がＯＮであると判断した場合、次に、制御回路１１６は、第１状態センサ５０がＯＮであるか否かを判断する（ステップＳ６）。このとき、制御回路１１６は、上部筐体１１の回転方向を判定する回転方向判定手段として機能する。
【００６８】
ステップＳ６において、第１状態センサ５０がＯＮではないと判断した場合、処理をステップＳ５に戻す。一方、第１状態センサ５０がＯＮであると判断した場合、制御回路１１６は、携帯電話機１で使用可能な自局電話番号Ｂ、Ｃのなかから、発呼に使用する自局電話番号を選択するための使用アドレス選択画像をディスプレイ（表示部）４に表示する（ステップＳ１０）。
このとき、制御回路１１６は、表示制御手段として機能し、選択手段によって選択される自局電話番号Ａ以外の自局電話番号Ｂ、Ｃから、通信に使用する自局電話番号を選択可能とするための使用アドレス選択画像をディスプレイ（表示部）４に表示する。
【００６９】
次に、制御回路１１６は，十字方向操作キー５や操作キー群６が操作されて自局電話番号を選択する指示が入力されたか否かを判断する（ステップＳ１１）。
自局電話番号を選択する指示が入力されたと判断した場合、自局電話番号Ｂが選択されたか、自局電話番号Ｃが選択されたかを判断する（ステップＳ１２）。
【００７０】
自局電話番号Ｂが選択されたと判断した場合、制御回路１１６は、発呼に使用する自局電話番号として自局電話番号Ｂを選択し（ステップＳ７）、自局電話番号Ｂに対応した相手局電話番号の群から通話相手先の電話番号を選択するための通信先選択画像を表示する（ステップＳ８）。このとき、使用者は、操作キー群６及び十字方向操作キー５を操作し、通信先とする相手局電話番号を選択することができる。
【００７１】
自局電話番号Ｃが選択されたと判断した場合、制御回路１１６は、発呼に使用する自局電話番号として自局電話番号Ｃを選択し（ステップＳ１３）、自局電話番号Ｃに対応した相手局電話番号の群から通話相手先の電話番号を選択するための通信先選択画像を表示する（ステップＳ１４）。このとき、使用者は、操作キー群６及び十字方向操作キー５を操作し、通信先とする相手局電話番号を選択することができる。
【００７２】
図６、図７を用いて説明した携帯電話機１によれば、１台で使用可能な自局電話番号が３つ以上であっても対応することができる。頻繁に使用する自局電話番号を直ちに選択可能とするとともに、使用頻度が比較的少ない他の自局電話番号については使用アドレス選択画像によって選択可能とするように、使用頻度に応じて選択操作を異ならせることが可能であるため、１台で使用可能な自局電話番号の数を３つ以上としても、利便性が損なわれることがない。
【００７３】
本発明の携帯電話機は、上部筐体の下部筐体に対する回転方向が複数であれば、特に限定されるものではなく、例えば、図８に示す携帯電話機に本発明を適用することも可能である。
図８（ａ）〜（ｅ）は、本発明の携帯電話機の他の一例を模式的に示す斜視図である。
携帯電話機７０は、上部筐体７１と下部筐体７２とが連結部７３を介して連結されたものである。図８（ａ）は、携帯電話機７０の上部筐体７１と下部筐体７２とが重なり合っている閉成状態を示している。
【００７４】
図８（ｂ）は、携帯電話機７０の上部筐体７１が下部筐体に対して左方向に回転している展開中の様子を示している。図８（ｃ）は、携帯電話機７０の上部筐体７１が下部筐体７２に対して閉成状態から１８０°回転した展開状態を示している。
図８（ｄ）は、展開状態にある携帯電話機７０の上部筐体７１を折り畳む様子を示している。図８（ｅ）は、図８（ｄ）に示したようにして折り畳んだ携帯電話機７１の上部筐体７１が下部筐体７２に対して右方向に回転している展開中の様子を示している。
【００７５】
携帯電話機７０は、上部筐体７１が下部筐体７２に対して平行な状態を保って双方向に回転し得るとともに（図８（ｂ）、（ｅ）参照）、折り畳み開閉動作（図８（ｄ）参照）を行い得るように構成されている。すなわち、携帯電話機７０は、上部筐体７１が下部筐体７２に対して２軸回転を行い得るように構成されている。上部筐体７１の２軸回転が可能な携帯電話機７０に本発明を適用することも可能である。
【００７６】
また、上述した例では、複数の自局電話番号の使用が可能であり、展開操作によって、これらの自局電話番号のなかから、通信に使用する１つの自局電話番号が選択される携帯電話機について説明したが、本発明の携帯電話機は、複数のメールアドレスの使用が可能であって、展開操作によって、これらのメールアドレスのなかから、通信に使用する１つのメールアドレスが選択されるように構成されていてもよい。また、自局電話番号とメールアドレスとの使用が可能であり、展開操作によって、通信に使用する１つの自局電話番号又はメールアドレスが選択されるように構成されていてもよい。
【図面の簡単な説明】
【００７７】
【図１】本発明の携帯電話機の一例を模式的に示す斜視図である。
【図２】図１に示した携帯電話機の内部構成を示すブロック図である。
【図３】（ａ）〜（ｄ）は、図１に示した携帯電話機の展開動作を示す正面図である。
【図４】（ａ）〜（ｄ）は、第１状態センサ５０及び第２状態センサ６０の動作を模式的に示す斜視図である。
【図５】図１に示した携帯電話機の制御回路において実行される自局電話番号選択処理を行うサブルーチンを示すフローチャートである。
【図６】本発明の他の一例に係る携帯電話機の内部構成を示すブロック図である。
【図７】図６に示した携帯電話機の制御回路において実行される自局電話番号選択処理を行うサブルーチンを示すフローチャートである。
【図８】本発明の携帯電話機の他の一例を模式的に示す斜視図である。
【符号の説明】
【００７８】
１、７０  携帯電話機
２  アンテナ部
３  受話口
４  ディスプレイ
５  十字方向操作キー
６  操作キー群
７  送話口
８（８ａ、８ｂ）  アンテナ
１１、７１  上部筐体
１２、７２  下部筐体
１３、７３  連結部
５０  第１状態センサ
５０ａ、６０ａ  導通端子
５０ｂ、６０ｂ  導体パターン
６０  第２状態センサ
８０  展開状態検知手段
１０１（１０１ａ、１０１ｂ）  信号処理回路
１０２（１０２ａ、１０２ｂ）  レベル検出回路
１０３  着信音出力スピーカ
１０４  バイブレータ用モータ
１１１  スピーカ
１１２  マイクロホン
１１３  電話番号記憶回路
１１６  制御回路
【図１】
2005204225.tif 000004
【図２】
2005204225.tif 000005
【図３】
2005204225.tif 000006
【図４】
2005204225.tif 000007
【図５】
2005204225.tif 000008
【図６】
2005204225.tif 000009
【図７】
2005204225.tif 000010
【図８】
2005204225.tif 000011